(57)【要約】      （修正有）【課題】塗布範囲（塗布領域）と非塗布範囲（非塗布領域）との境界付近における膜厚ムラを解消する塗布装置を提供する。【解決手段】塗布領域のノズル配列方向における塗布開始位置から塗布終了位置までの１回の相対移動において、被塗布部材の塗布領域に対向するノズル数が漸次増加する塗布開始位置の近傍の領域（塗布境界近傍領域）では、液滴を吐出するノズルの数が増減しながら増加する増加基調になるように吐出を制御し、被塗布部材の塗布領域に対向するノズル数が漸次減少する塗布開始位置の近傍の領域（塗布境界近傍領域）では、液滴を吐出するノズルの数が増減しながら増加する減少基調になるように吐出を制御する。【選択図】図９
2017013283.tif 000002
【特許請求の範囲】
【請求項１】
塗布液の液滴を吐出する複数のノズルが配列された液体吐出手段を備え、
前記液体吐出手段と被塗布部材とを相対的にノズル配列方向に沿う方向に移動させ、前記液体吐出手段から前記液滴を吐出して前記被塗布部材の所定の塗布領域に前記塗布液を塗布し、
前記塗布領域のノズル配列方向における塗布開始位置から塗布終了位置までの１回の相対移動において、前記被塗布部材の塗布領域に対向する前記液体吐出手段のノズル数が漸次増加する領域では、前記液滴を吐出する前記ノズルの数が増加基調にある
ことを特徴とする塗布装置。
【請求項２】
塗布液の液滴を吐出する複数のノズルが配列された液体吐出手段を備え、
前記液体吐出手段と被塗布部材とを相対的にノズル配列方向に沿う方向に移動させ、前記液体吐出手段から前記液滴を吐出して前記被塗布部材の所定の塗布領域に前記塗布液を塗布し、
前記塗布領域のノズル配列方向における塗布開始位置から塗布終了位置までの１回の相対移動において、前記被塗布部材の塗布領域に対向する前記液体吐出手段のノズル数が漸次減少する領域では、前記液滴を吐出する前記ノズルの数が減少基調にある
ことを特徴とする塗布装置。
【請求項３】
前記被塗布部材の塗布領域に対向する前記液体吐出手段のノズル数が漸次増加する領域では、前記液滴を吐出する前記ノズルの数が増減しながら増加する増加基調である
ことを特徴とする請求項１に記載の塗布装置。
【請求項４】
前記被塗布部材の塗布領域に対向する前記液体吐出手段のノズル数が漸次減少する領域では、前記液滴を吐出する前記ノズルの数が増減しながら減少する減少基調である
ことを特徴とする請求項１に記載の塗布装置。
【請求項５】
塗布液の液滴を吐出する複数のノズルが配列された液体吐出手段を備え、
前記液体吐出手段と被塗布部材とを相対的にノズル配列方向に沿う方向に移動させ、前記液体吐出手段から前記液滴を吐出して前記被塗布部材の所定の塗布領域に前記塗布液を塗布し、
前記塗布領域のノズル配列方向における塗布開始位置の近傍の領域及び塗布終了位置の近傍の領域の少なくともいずれかでは、単位面積当たりの滴数を前記近傍以外の領域での滴数よりも相対的に少なくする
ことを特徴とする塗布装置。
【請求項６】
前記塗布開始位置又は塗布終了位置に近づくに従って前記単位面積当たりの滴数を減少させる
ことを特徴とする請求項５に記載の塗布装置。
【請求項７】
前記被塗布部材は、円筒状又は円柱状であり、前記ノズル配列方向を軸心として回転駆動される
ことを特徴とする請求項１ないし６のいずれかに記載の塗布装置。
【発明の詳細な説明】
【技術分野】
【０００１】
本発明は塗布装置に関する。
【背景技術】
【０００２】
塗装装置などの塗布装置として、液体吐出ヘッド（液滴吐出ヘッド）などの液体吐出手段（液滴吐出手段）を備えるものが知られている。
【０００３】
例えば、回転する円筒状の被塗布物に対し回転軸である円筒中心方向に向かって塗液を吐出し、被塗布物表面に塗液の液滴が重なりを持つように塗布するものが知られている（特許文献１）。
【先行技術文献】
【特許文献】
【０００４】
【特許文献１】特開平１１−１９５５４公報
【発明の概要】
【発明が解決しようとする課題】
【０００５】
ところで、複数のノズルを配列したノズル列を有する液体吐出手段を使用し、ノズル配列方向に液体吐出手段を移動しながら被塗布部材に塗布液を塗布する場合、すべてのノズルから液滴を同時に吐出させると、非塗布領域に塗布液が付着しないようにマスクしなければならないという課題がある。
【０００６】
本発明は上記の課題に鑑みてなされたものであり、ノズル配列方向に液体吐出手段を移動させて塗布するときにマスクを使用することなく所要の塗布領域に塗布できるようにすることを目的とする。
【課題を解決するための手段】
【０００７】
上記の課題を解決するため、本発明の請求項１に係る塗布装置は、
塗布液の液滴を吐出する複数のノズルが配列された液体吐出手段を備え、
前記液体吐出手段と被塗布部材とを相対的にノズル配列方向に沿う方向に移動させ、前記液体吐出手段から前記液滴を吐出して前記被塗布部材の所定の塗布領域に前記塗布液を塗布し、
前記塗布領域のノズル配列方向における塗布開始位置から塗布終了位置までの１回の相対移動において、前記被塗布部材の塗布領域に対向する前記液体吐出手段のノズル数が漸次増加する領域では、前記液滴を吐出する前記ノズルの数が増加基調にある
構成とした。
【発明の効果】
【０００８】
本発明によれば、ノズル配列方向に液体吐出手段を移動させて塗布するときにマスクを使用することなく所要の塗布領域に塗布できる。
【図面の簡単な説明】
【０００９】
【図１】本発明の第１実施形態に係る塗布装置の模式的説明図である。
【図２】同装置の液体吐出ヘッドの平面説明図である。
【図３】同塗布装置の制御装置のブロック説明図である。
【図４】同塗布装置による被塗布部材への塗布動作の説明に供する説明図である。
【図５】同じく同塗布動作を行うときの吐出テーブルの説明図である。
【図６】本発明の第２実施形態に係る塗布装置の模式的説明図である。
【図７】同塗布装置の制御装置のブロック説明図を参照して説明する。
【図８】液滴を吐出するノズルの数を単純増加又は単純減少させた場合の膜厚変化の説明に供する説明図である。
【図９】本発明の第３実施形態における吐出テーブルの説明図である。
【図１０】本発明の第４実施形態における吐出テーブルの説明図である。
【図１１】本発明の第５実施形態における吐出テーブルの説明図である。
【図１２】第３実施形態及び第４実施形態の塗布境界近傍領域における吐出確率の説明図である。
【図１３】第５実施形態の塗布境界近傍領域における吐出確率の説明図である。
【発明を実施するための形態】
【００１０】
以下、本発明の実施形態について添付図面を参照して説明する。本発明の第１実施形態に係る塗布装置について図１及び図２を参照して説明する。図１は同塗布装置の模式的説明図、図２は同装置の液体吐出ヘッドの平面説明図である。
【００１１】
液体吐出ヘッド１には、液体吐出手段であり、塗装液を貯留する液体タンクから塗布液が供給される。
【００１２】
この液体吐出ヘッド１は、図２に示すように、塗布液の液滴を吐出する複数のノズル１２が配列された２列のノズル列を有し、各ノズル列のノズルは千鳥状に配置されている。ノズル配列方向を矢印Ｙ方向とし、移動方向先頭のノズル１２をノズルＮｏ．１とし、ノズル列で交互にノズルＮｏ．２、Ｎｏ．３・・・とする。なお、ノズル列は１列でもよい。
【００１３】
この液体吐出ヘッド１は、ノズル配列方向に沿う方向に往復移動可能に配置されている。
【００１４】
一方、ワークステージ２は、ステージ２１上に、被塗布部材３を軸心方向両端部で支持する回転可能な保持部材２２、２３と、保持部材２２を介して被塗布部材３を回転させる駆動モータ２５とを備えている。ここで、被塗布部材３は円筒状又は円柱状部材である。
【００１５】
次に、この塗布装置の制御装置について図３のブロック説明図を参照して説明する。
【００１６】
まず、液体吐出ヘッド１は、１軸アクチュエータ１５によって、ノズル配列方向に沿う方向（図２の矢印Ｙ方向）に、被塗布部材３の軸心と平行に移動される。
【００１７】
この液体吐出ヘッド１の移動に応じてエンコーダ１６からパルス信号が出力される。
【００１８】
制御装置４０は、ＣＰＵ、ＲＯＭ、ＲＡＭ、Ｉ／Ｏなどからなるマイクロコンピュータ等を含み、この塗布装置全体の制御を司る。
【００１９】
制御装置４０は、液体吐出ヘッド１を対して吐出信号を出力して液体吐出ヘッド１のノズル１２から液滴を吐出させ、１軸アクチュエータ１５に対して移動／停止指令を与えて液体吐出ヘッド１の移動を制御する。
【００２０】
制御装置４０は、エンコーダ１６からのパルス信号をカウントするカウンタ４１を有する。
【００２１】
制御装置４０は、予め被塗布部材３毎の塗布境界である塗布開始位置と塗布終了位置に関する情報を格納した塗布領域格納部４２を有している。塗布開始位置及び塗布終了位置は、予め定めた塗布開始待機位置を基準として液体吐出ヘッドの移動量（カウンタ４１のカウント値）で定めている。
【００２２】
制御装置４０は、液体吐出ヘッド１の各ノズル１２についてヘッド位置（ヘッド移動量）に応じて吐出及び不吐出の情報をテーブル化した吐出テーブル４３を有し、吐出テーブル４３に従って液体吐出ヘッド１に対して吐出信号を出力いる。
【００２３】
次に、本実施形態における被塗布部材への塗布動作について図４及び図５を参照して説明する。図４は同塗布動作の説明に供する説明図、図５は同塗布動作を行うときに使用する吐出テーブルの一例の説明図である。
【００２４】
なお、説明を簡単にするため、液体吐出ヘッド１のノズル数は８個とし、液体吐出ヘッド１の移動に伴ってエンコーダ１６から出力される出力パルスの総数は９９９９個とする。また、液体吐出ヘッド１のノズルピッチ（ノズル間隔）は出力パルス３個分が得られる液体吐出ヘッド１の移動量に相当するものとする。また、液体吐出ヘッド１を図４で右側から左側に移動させながら塗布を行なうものとする。
【００２５】
まず、被塗装部材３を保持部材２２、２３にて保持して塗布装置にセットし、駆動モータ２５を回転駆動して被塗装部材２を所定の回転速度で回転させる。
【００２６】
そして、液体吐出ヘッド１を塗布開始待機位置（被塗装部材３の端部付近）まで移動させる。被塗装部材３に対する液体吐出ヘッド１の相対位置は、この塗布開始待機位置を基準とする。
【００２７】
その後、液体吐出ヘッド１を被塗布部材３の軸心方向であるノズル配列方向（矢印Ｙ方向）に所定の移動速度での移動を開始させる。このとき、エンコーダ１６から出力されるパルス信号をカウンタ４１でカウントして塗布開始待機位置からの累計パルス数を得る。
【００２８】
ここで、図４（ａ）に示すように、被塗布部材３の塗布領域６０に液体吐出ヘッド１の移動方向先頭のノズル（これを１番目のノズルとして、ノズルＮｏ.１というように表記する。）が到達するまでの間は、液体吐出ヘッド１からの吐出は行わない。
【００２９】
そして、図４（ｂ）に示すように、１番目のノズルが塗布領域６０に入る位置で１番目のノズル１２から液滴の吐出を開始する。
【００３０】
以後、エンコーダ１６からの出力パルスの累計パルス数（カウント値）に応じて、パルス信号が入力される毎に吐出信号を送出して、液体吐出ヘッド１のノズル１２から液滴を吐出させる。
【００３１】
さらに、液体吐出ヘッド１が移動し、２番目のノズルが塗布領域６０に入ると、２番目のノズル１２からも液滴の吐出を開始する。
【００３２】
ここで、エンコーダ１６の１パルス毎の移動距離とノズル１２間のピッチ（ノズルピッチ）の関係より、各ノズル１２の位置が塗布領域に達するときの累計パルス数（カウント値）が決まる。
【００３３】
そこで、制御装置４０は、図５に示すような吐出テーブル４３を参照して、エンコーダ１６から出力されたパルス信号の累計パルス数のカウント値（ヘッド１と被塗装部材３の相対位置関係）に応じて吐出信号を液体吐出ヘッド１に送出する。
【００３４】
ここでは、エンコーダ１６からのパルス信号に同期して３パルス吐出する毎に隣接するノズル１２の駆動を開始することになる。
【００３５】
同様に、液体吐出ヘッド１の移動につれて順次隣接する３番目のノズル、４番目のノズルから液滴を吐出する。
【００３６】
図５の例では、累計パルス数が２５４個になったときから１番目のノズル１２からの吐出を開始し、２５７個になったときから２番目のノズル１２からの吐出も開始し、同様に、３パルスごとに隣のノズル１２から吐出も開始する。
【００３７】
このように、被塗布部材３の塗布領域６０に対向するノズル１２の数が漸次増加するとき、つまり、ノズル列の位置が塗布領域外から塗布領域内に移る場合には、液体吐出ヘッド１の移動につれて順次隣接するノズル１２から液滴を吐出する。この場合、液滴を吐出するノズル数は単純増加で増加する。
【００３８】
そして、図４（ｃ）に示すように、液体吐出ヘッド１のすべてのノズル１２が塗布領域６０に対向するとき（図５の累計パルス数２７６〜９９７５の範囲）には、すべてのノズル１２から液滴を吐出する。このときには、エンコーダ１６からのパルス信号が入力される毎にすべてのノズル１２から液滴を吐出する。
【００３９】
ここで、被塗布部材３は一定の回転数で回転しており、エンコーダ１６のパルス信号毎に液体吐出ヘッド１が一定距離を移動し、一定量の塗布液が吐出されるので、被塗布部材３の周面に塗膜を形成することができる。
【００４０】
その後、図４（ｄ）に示すように、１番目のノズル１２が塗布領域６０から出る位置に達すると、１番目のノズル１２からの吐出を停止する。さらに、液体吐出ヘッド１が移動し、２番目のノズル１２が塗布領域６０から外れると、２番目のノズル１２の吐出を停止する。
【００４１】
同様に、塗布領域６０を外れるノズル１２から順次吐出を停止する（図５の累計パルス数９９７５〜９９９６）。図５の例では、前述したように、エンコーダ１６からの出力パルスに同期して３パルス吐出する毎に隣接するノズル１２からの吐出を停止することになる。
【００４２】
このように、被塗布部材３の塗布領域６０に対向するノズル１２の数が漸次減少するとき、つまり、ノズル列の位置が塗布領域から塗布領域外に移る場合には、液体吐出ヘッド１の移動につれて順次隣接するノズル１２からの吐出を停止する。この場合、液滴を吐出するノズル数は単純減少で減少する。
【００４３】
そして、図４（ｅ）に示すように、液体吐出ヘッド１のすべてのノズル１２が塗布領域外に出ると、すべてのノズル１２からの吐出は停止し、液体吐出ヘッド１は塗布終了待機位置まで移動する。
【００４４】
以上のようにして、エンコーダ１６からのパルス信号を入力する毎に吐出テーブル４３を参照し、各ノズル１２の吐出を制御することで、マスクを使用することなく、被塗布部材３の所定の範囲（塗布領域）にのみ塗布液を塗布することができる。
【００４５】
また、ノズル配列方向と平行な方向に液体吐出ヘッド１と被塗布部材３を相対的に移動させながら塗布液を吐出しているので、塗布領域のいずれの区間をとっても、すべてのノズル１２が一定回数吐出しながら通過することになる。
【００４６】
したがって、ノズル列の一部のノズル１２に不吐出ノズルが存在したり、ノズル間で吐出量にばらつきが存在したりしても、塗布中に吐出状態が変化しなければ、塗布領域の全域に均一に塗布液を塗布することができる。
【００４７】
なお、被塗布部材３に塗布する塗膜の厚みが厚いときには、再び塗布開始待機位置まで戻って同様の動作を繰り返し、重ね塗りすればよい。あるいは、液体吐出ヘッド１を塗布終了待機位置から塗装開始待機位置まで戻しながら塗布を行ってもよい。この場合には、塗布終了待機位置から塗布領域６０に入るときにｎ番目のノズル１２から順に吐出を開始し、塗布領域６０から外れるときにはｎ番目のノズル１２から順に吐出を終了させることになる。
【００４８】
次に、本発明の第２実施形態に係る塗布装置について図６を参照して説明する。図６は同塗布装置の模式的説明図である。
【００４９】
ここでは、液体吐出ヘッド１は、ステッピングモータで被塗布部材３の軸心と平行に移動させる構成としている。
【００５０】
そして、液体吐出ヘッド１の移動範囲にわたって塗布領域を設定する塗布領域設定部材５１が配置され、塗布領域設定部材５１を読み取るセンサヘッド５２を備えている。センサヘッド５２は液体吐出ヘッド１とともに移動する。
【００５１】
なお、塗布領域設定部材５１は、板状、棒状、シート状等の部材であり、その長さや位置が被塗布部材３の塗布領域を示している。センサヘッド５２のセンサ部は、光学式、磁気式、機械スイッチ式などの中から塗布領域設定部材５１を検出可能で、要求精度や使用環境に適したものを使用すればよい。
【００５２】
次に、この塗布装置の制御装置について図７のブロック説明図を参照して説明する。
【００５３】
ここでは、１軸アクチュエータ１５の駆動源はステッピングモータである。
【００５４】
制御装置４０は、１軸アクチュエータ１５の駆動源であるステッピングモータに対してパルスを出力するパルス発生器４５を備えている。
【００５５】
制御装置４０は、センサヘッド５２による塗布領域設定部材５１の検出結果から塗布境界を検知し、吐出セレクタ４６から液体吐出ヘッド１に対して液滴を吐出させる吐出信号を与える。
【００５６】
次に、本実施形態に係る塗布装置による被塗布部材への塗布動作について説明する。なお、ここでも、塗布領域境界付近で液滴を吐出するノズルの数を単純増加又は単純減少させて塗布する動作で説明する。また、主に、前記第１実施形態の塗布装置と異なる部分のみを説明する。
【００５７】
１番目のノズル１２が塗布領域に入る位置で、センサヘッド５２が塗布領域設定部材５１を検知し、センサヘッド５２は１番目のノズル１２から塗布液の液滴の吐出を開始する。以降、制御装置４０はステッピングモータに対し、一定の周期でパルスを出力し、同時にノズル１２に対応する圧力発生手段に対しても吐出パルスを送出する。
【００５８】
液体吐出ヘッド１と被塗布部材３の相対移動速度は一定であり、所定時間後にノズルピッチ分移動する。したがって、一定時間が経過する毎、すなわち、所定パルス吐出する毎に２番目のノズル、３番目のノズル、と順次吐出を開始するよう制御することで、前記第１例と同様にマスクレスでの塗布を行なうことができる。
【００５９】
その後、すべてのノズル１２が塗布領域に入ったときには、１番目のノズル１２が塗布領域外に出るまでは、センサヘッド５２からの入力が変化しないため、一定の周期ですべてのノズル１２から塗布液を吐出する。
【００６０】
そして、１番目のノズルが塗布領域から出る位置で、センサヘッド５２が塗布領域設定部材５１の終了を検知し、１番目のノズル１２からの液滴の吐出が終了する。以後は、一定時間が経過する毎、すなわち、所定パルス吐出する毎に２番目のノズル１２、３番目のノズル１２、と順次吐出を終了するようする。
【００６１】
これにより、第１実施形態と同様に、非塗布領域にマスクを施すことなく所要の塗布領域のみに塗布を行なうことができる。
【００６２】
以上のように、制御装置は一定の時間間隔でパルス指令を出力しながら、各ノズルの吐出を制御することで、マスクを使用することなく、被塗布部材の所定の範囲にのみ塗布することが可能になる。
【００６３】
また、塗布範囲設定部材を読み取って液体吐出ヘッド１が塗布境界位置を通過するときに検出信号を出力するセンサヘッド５２を備えることにより、塗布領域の設定や変更を、制御装置側の設定を変更することなく行うことができる
【００６４】
次に、上述した第１実施形態及び第２実施形態のように液滴を吐出するノズルの数を単純増加又は単純減少させた場合の膜厚変化について図８を参照して説明する。
【００６５】
塗布領域６０の全域に対して均一に塗布液を吐出させた場合、被塗布部材３に対する塗布液の濡れ性や塗布液の表面張力、粘度等の条件によっては、図８に示すように、塗布境界近傍領域６２（例えば１〜２ｍｍ程度の領域）６２における塗布膜７０の膜厚が増加する現象が発生する場合がある。
【００６６】
このような現象が生じると、膜厚ムラが発生して膜厚の均一性を確保できなくなる。
【００６７】
なお、「塗布境界近傍領域」とは、塗布領域と非塗布領域の境界（塗布境界６１）を含む塗布領域側の一部領域の意味である。
【００６８】
次に、本発明の第３実施形態について図９を参照して説明する。図９は同実施形態における吐出テーブルの説明図である。
【００６９】
本実施形態では、上述した塗布境界近傍領域における膜厚ムラを低減するために、塗布境界近傍領域において所定の確率でノズルの一部を非吐出とすることにより、塗布境界近傍領域における膜厚の増加を抑えている。
【００７０】
つまり、本実施形態では、前記第１実施形態の塗布装置の塗布動作で説明した吐出テーブル４３として、図９に示す吐出テーブルを使用している。図９（ａ）は、縦方向が時系列の各ノズルの吐出／非吐出状態を示したもので、図９（ｂ）は、縦方向が実際の被塗布部材の各位置における各ノズルの吐出／非吐出状態を示したものである。
【００７１】
前述したようにエンコーダ１６から出力されるパルス信号３個分で１ノズルピッチ分液体吐出ヘッド１が移動するとき、３パルス分のすべての位置で液滴を吐出しないで、一部の位置で非吐出としている（図９では×印を付している。）。
【００７２】
例えば、塗布開始位置側で見れば、１番目のノズル１２は塗布開始位置である累計パルス数２５４個から２６３個まで非吐出、吐出を１パルス信号毎に繰り返している。２番目のノズル１２は累計パルス数２５７個から２６５個まで、吐出、非吐出を１パルス信号毎に繰り返している。なお、３番目のノズル以降の説明は省略する。
【００７３】
また、塗布終了位置側でも同様に吐出と非吐出とを所定範囲で繰り返している。
【００７４】
つまり、塗布領域のノズル配列方向における塗布開始位置から塗布終了位置までの１回の相対移動において、被塗布部材の塗布領域に対向するノズル数が漸次増加する塗布開始位置の近傍の領域（塗布境界近傍領域）では、液滴を吐出するノズルの数が増減しながら増加する増加基調になるように吐出を制御している。
【００７５】
同様に、塗布領域のノズル配列方向における塗布開始位置から塗布終了位置までの１回の相対移動において、被塗布部材の塗布領域に対向するノズル数が漸次減少する塗布終了位置の近傍の領域（塗布境界近傍領域）では、液滴を吐出するノズルの数が増減しながら減少する減少基調になるように吐出を制御している。
【００７６】
言い換えれば、塗布領域のノズル配列方向における塗布開始位置の近傍の領域及び塗布終了位置の近傍の領域の少なくともいずれかでは、単位面積当たりの滴数を近傍以外の領域での滴数よりも相対的に少なくしている。
【００７７】
これを図５で説明した吐出テーブルを基準とすると、塗布境界近傍領域において、本来吐出すべきノズル（図５の吐出テーブルで吐出になっているノズル）を非吐出とすることにより、塗布境界近傍領域における膜厚の増加を抑えて膜厚ムラを低減する。
【００７８】
この場合、塗布境界に近づくほど、非吐出とする確率を徐々に高くすることで、膜厚の急激な変化を防止し、均一な厚みの塗布膜を形成することができる。
【００７９】
図９に示す吐出テーブルは、塗布境界の端部においては５０％の確率で各ノズルを非吐出とし、端部からの距離が遠くなるにつれて非吐出確率を低下させ、端部から２ｍｍ以上離れた位置では非吐出とする確率は０％（すなわち、通常の吐出パターン）としている。
【００８０】
このように、塗布境界近傍領域において、上述したような吐出制御を行うことにより、塗布境界近傍領域で膜厚が過大になる現象を解消でき、膜厚ムラを低減することができる。
【００８１】
なお、塗装境界からどの程度近傍まで上述した非吐出制御（間引き）を行うか、および非吐出とする確率をどの程度にするかは、被塗布部材に対する塗布液の濡れ性や塗布液の表面張力、粘度等の条件に応じて適宜調整する。
【００８２】
次に、本発明の第４実施形態について図１０を参照して説明する。図１０は同実施形態における吐出テーブルの説明図である。
【００８３】
本実施形態は、図９で説明した吐出テーブルと比較すると、特定のノズルについて、塗布境界近傍領域で吐出と非吐出を交互に繰り返す点では同様であるが、ノズルＮｏ．が大きくなるほど、吐出と非吐出を交互に繰り返す区間を長くしている点が異なる。
【００８４】
ただし、被塗布部材を基準とする図９（ｂ）、図１０（ｂ）で見ると、吐出確率（図５の吐出テーブルを基準とした場合）は等価となっており、同等の端部膜厚均一化効果が得られる。
【００８５】
次に、本発明の第５実施形態について図１１を参照して説明する。図１１は同実施形態における吐出テーブルの説明図である。
【００８６】
本実施形態では、特定のノズルについてみると、塗布境界近傍領域で吐出２回と非吐出１回を交互に繰り返すパターンとしている。被塗布部材を基準とした場合には、塗布境界の端部においては約１／３の確率で各ノズルを非吐出とし、端部からの距離が遠くなるにつれて非吐出確率を低下（すなわち、吐出確率を増加）させ、端部から１．６ｍｍ以上離れた位置では強制非吐出とする確率は０％（すなわち、通常の吐出パターン）としている。
【００８７】
ここで、前記第３実施形態及び第４実施形態の塗布境界近傍領域における吐出確率を図１２に、前記第５実施形態の塗布境界近傍領域における吐出確率を図１３に示している。吐出確率は、図５の吐出テーブルに従って吐出するときを１００％とした場合である。
【符号の説明】
【００８８】
１  液体吐出ヘッド
３  被塗布部材
１２  ノズル
１５  １軸アクチュエータ
１６  エンコーダ
２２、２３  保持部材
２５  駆動モータ
４０  制御装置
４１  パルスカウンタ
４３  吐出テーブル
【図１】
2017013283.tif 000003
【図２】
2017013283.tif 000004
【図３】
2017013283.tif 000005
【図４】
2017013283.tif 000006
【図５】
2017013283.tif 000007
【図６】
2017013283.tif 000008
【図７】
2017013283.tif 000009
【図８】
2017013283.tif 000010
【図９】
2017013283.tif 000011
【図１０】
2017013283.tif 000012
【図１１】
2017013283.tif 000013
【図１２】
2017013283.tif 000014
【図１３】
2017013283.tif 000015